(57)【要約】【課題】軽量な屋根瓦として使用される樹脂瓦において、表面・裏面・側面及び内部の色調及び耐燃性を均質にする。【解決手段】不燃性繊維２を含有せる熱硬化性樹脂３よりなる樹脂瓦１であって、熱硬化性樹脂３として、耐候性・耐熱性顔料３１及び難燃性材料３２を配合せる熱硬化性樹脂３を使用し、表面・裏面・側面及び内部の色調及び耐燃性を均質にしてなることを特徴とする。【選択図】図１
2006207305.tif 000002
【特許請求の範囲】
【請求項１】
不燃性繊維を含有せる熱硬化性樹脂よりなる樹脂瓦であって、熱硬化性樹脂として、耐候性・耐熱性顔料及び難燃性材料を配合せる熱硬化性樹脂を使用し、表面・裏面・側面及び内部の色調及び耐燃性を均質にしてなることを特徴とする樹脂瓦。
【発明の詳細な説明】
【技術分野】
【０００１】
本願発明は、軽量な屋根瓦として使用される樹脂瓦に関するものである。
【背景技術】
【０００２】
古くから粘土瓦、セメント瓦等の窯業系瓦が屋根材として汎用されていた。
【０００３】
しかしながら、かかる窯業系瓦は、重量がきわめて大きいため、屋根葺き時の作業性が悪く、かつ、建物にも大きな負荷がかかり、建物の耐久性にも悪影響を与えるという問題があった。
【０００４】
そこで、かかる窯業系瓦の問題点を解消するため、ガラス繊維等の不燃性繊維を含有せる不飽和ポリエステル樹脂等の熱硬化性樹脂よりなる樹脂瓦が知られている（例えば、特許文献１参照。）。
【特許文献１】特開２００２−２７６０８２号公報
【発明の開示】
【発明が解決しようとする課題】
【０００５】
上記従来の樹脂瓦においては、窯業系瓦の問題点である重量が大きいという点を解消した軽量な屋根瓦として優れている。
【０００６】
しかしながら、かかる樹脂瓦においても、長期間の使用に際して、紫外線等によって変色し易く、耐候性の点で問題があった。
【０００７】
そこで、上記特許文献１に記載された樹脂瓦においては、樹脂瓦の表面にシリコン樹脂層を形成した耐候性の高い樹脂瓦を提案しているが、表面シリコン樹脂層の形成によって、表面・裏面・側面及び内部の色調が異なり、外観が損われ、かつ、耐燃性も部分的に異なり、均一な耐燃性能が得られないという問題があった。
【０００８】
本願発明は、かかる樹脂瓦の問題点を解消するために為されたものであり、軽量な屋根瓦として使用される樹脂瓦において、表面・裏面・側面及び内部の色調及び耐燃性が均質な樹脂瓦を提供することを課題とするものである。
【課題を解決するための手段】
【０００９】
本願発明は、上記課題を解決するため、不燃性繊維を含有せる熱硬化性樹脂よりなる樹脂瓦であって、熱硬化性樹脂として、耐候性・耐熱性顔料及び難燃性材料を配合せる熱硬化性樹脂を使用し、表面・裏面・側面及び内部の色調及び耐燃性を均質にしてなることを特徴としている。
【発明の効果】
【００１０】
本願発明の樹脂瓦は、不燃性繊維を含有せる熱硬化性樹脂よりなる樹脂瓦において、熱硬化性樹脂として、耐候性・耐熱性顔料及び難燃性材料を配合せる熱硬化性樹脂、即ち、耐候性・耐熱性顔料及び難燃性材料が均一に分散・混合された熱硬化性樹脂を使用して樹脂瓦を形成し、樹脂瓦の表面・裏面・側面及び内部の色調及び耐燃性を均質にしてなるので、表面・裏面・側面及び内部の色調及び耐燃性が均質な樹脂瓦が得られる。
【発明を実施するための最良の形態】
【００１１】
以下、本願発明の樹脂瓦を図面とともに説明する。
【実施例１】
【００１２】
図１は、本願発明の樹脂瓦の一実施形態を例示した縦断面図である。
【００１３】
図１に例示したように、本願発明の樹脂瓦１は、不燃性繊維２を含有せる熱硬化性樹脂３よりなる樹脂瓦１であって、熱硬化性樹脂３として、耐候性・耐熱性顔料３１及び難燃性材料３２を配合せる熱硬化性樹脂３を使用し、耐候性・耐熱性顔料３１による采色作用及び耐熱化作用、並びに、難燃性材料３２による難燃化作用によって、樹脂瓦１の表面・裏面・側面及び内部の色調及び耐燃性を均質にしてなることを特徴とするものである。
【００１４】
上記本願発明において、不燃性繊維２としては、例えば、ガラス繊維、カーボン繊維等の不燃性繊維のチョップストランドよりなる不燃性繊維片や、不燃性繊維のチョップストランドをマット状に成形した不燃性繊維マットや、不燃性繊維の糸を織成してなる不燃性繊維布等を使用すれば良い。
【００１５】
又、不燃性繊維２として、例えば、図１に例示したように、表面側及び裏面側に成形用の上型及び下型とのなじみが良い不燃性繊維片２２（例えば、繊維長さが５〜９０ｍｍ程度、好ましくは、３０〜６０ｍｍの短繊維に切断又は解繊されたチョップストランド）を配設すると共に、芯材部に補強効果の大きな不燃性繊維布２１を配設した複合繊維層よりなる不燃性繊維２を使用した場合には、耐燃性及び強度を向上させるために、不燃性繊維２の含有量を増加させた複合繊維層にしても、不燃性繊維２を含有せる熱硬化性樹脂３の成形性を悪化させることなく、良好な成形性が要求される波形形状の樹脂瓦１を円滑に製造することができる。
【００１６】
又、熱硬化性樹脂３としては、例えば、不飽和ポリエステル樹脂、エポキシ樹脂、フェノール樹脂等を使用する。
【００１７】
又、耐候性・耐熱性顔料３１としては、例えば、耐候性（耐光性）及び耐熱性が優れ、かつ隠ぺい力が大きい無機顔料が最適であり、代表的なものとして、白色に采色を施す場合には、チタン白、亜鉛華、鉛白、リトポン、等を、黄色に采色を施す場合には、黄鉛、カドミウムイエロー、コバルトイエロー、等を、橙色に采色を施す場合には、モリブデン赤、等を、赤色に采色を施す場合には、カドミウムレッド、べんがら、鉛丹、等を、青色に采色を施す場合には、群青、紺青、等を、緑色に采色を施す場合には、コバルトグリーン、クロムグリーン、等を、黒色に采色を施す場合には、カーボンブラック、鉄黒、等を使用し、更に、体質顔料である炭酸カルシウム、硫酸バリウム、水酸化アルミニウム、等を使用しても良い。
【００１８】
又、難燃性材料３２としては、例えば、水酸化アルミニウム、三酸化アンチモン、ほう酸亜鉛、ほう酸バリウム等の無機化合物や、炭酸カルシウム、けい酸カルシウム、タルク、マイカ、クレー、シリカ、アルミナ、けい砂等の無機充填材や、塩素化パラフィン、塩素化ポリエチレン、テトラブロムエタン、テトラブロムビスフェノールＡ等のハロゲン化合物や、トリクレジルホスフェート、クレジルジフェニールホスフェート、トリフェニールホスフェート、トリオクチルホスフェート等のりん酸エステルや、トリス（クロロエチル）ホスフェート、ビス（２,３−ジブロモプロピル）−２,３ジクロロプロピルホスフェート、トリス（２,３−ジブロモプロピル）−ホスフェート等の含ハロゲンリン酸エステル等の難燃剤を使用するのが好ましい。
【００１９】
又、上記耐候性・耐熱性顔料３１及び難燃性材料３２の配合量は、所望する耐候性・色調及び難燃性のレベルに応じて任意に選択、決定すれば良い。
【００２０】
又、不燃性繊維２として、前述した通り、不燃性繊維布２１の表面側及び裏面側に不燃性繊維片２２を配設した複合繊維層よりなる不燃性繊維２を使用して本願発明の樹脂瓦１を製造する場合には、例えば、離型フィルムの上に、耐候性・耐熱性顔料３１及び難燃性材料３２を配合せる熱硬化性樹脂３溶液を供給塗布し、次いで、裏面に配設する不燃性繊維片２２を供給散布し、以下、順次、上記と同様の熱硬化性樹脂３溶液を供給塗布、不燃性繊維布２１を供給敷設、上記と同様の熱硬化性樹脂３溶液を供給塗布、表面に配設する不燃性繊維片２２を供給散布、上記と同様の熱硬化性樹脂３溶液を供給塗布し、離型フィルムを供給載置することによって、上記と同様の熱硬化性樹脂３及び不燃性繊維２（不燃性繊維布２１、不燃性繊維片２２）を離型フィルムで挟み、成形用の上型及び下型にて加熱加圧成形することにより、不燃性繊維２を含有せる上記と同様の熱硬化性樹脂３よりなる樹脂瓦１を製造すれば良い。
【００２１】
しかしながら、上記本願発明の樹脂瓦１を製造する方法は、上記製造法に限定されるものではなく、例えば、通常通り不燃性繊維片２２、不燃性繊維マット又は不燃性繊維布２１の１種又は２種以上を、耐候性・耐熱性顔料３１及び難燃性材料３２を配合せる熱硬化性樹脂３に、混合、浸漬等を行った後、熱硬化性樹脂３を半硬化させて得た不燃性繊維強化熱硬化性樹脂よりなるＳＭＣ（Ｓｈｅｅｔ  Ｍｏｌｄｉｎｇ  Ｃｏｍｐｏｕｎｄ）を加熱加圧成形することによって、樹脂瓦１を製造しても良い。
【００２２】
又、上記樹脂瓦１の製造に際しては、波板、平板等、所望する形状を有し、かつ、厚み３〜６ｍｍ等、所望する強度に応じた厚みを有する樹脂瓦１を製造すれば良い。
【００２３】
上記本願発明の樹脂瓦１は、耐候性・耐熱性顔料３１及び難燃性材料３２を配合せる（均一に分散・混合された）熱硬化性樹脂３を使用して樹脂瓦１を形成し、樹脂瓦１の表面・裏面・側面及び内部の色調及び耐燃性を均質にしてなるので、樹脂瓦１の外部露出面及び内部の何れの部分においても均一な色調及び耐燃性を有しており、表面・裏面・側面及び内部の色調及び耐燃性が均質な樹脂瓦１が得られる。
【００２４】
更に加えうるに、本願発明の樹脂瓦１は、不燃性繊維２の不燃性に基因する耐燃化作用と、耐候性・耐熱性顔料３１の耐熱性及び難燃性材料３２の難燃性に基因する耐燃性作用との相乗作用によって、優れた耐燃性を発揮し、火災に遭遇した際の耐燃性が優れた樹脂瓦１が得られる。
【図面の簡単な説明】
【００２５】
【図１】本願発明の樹脂瓦の一実施形態を例示した縦断面図である。
【符号の説明】
【００２６】
１      樹脂瓦
２      不燃性繊維
２１    不燃性繊維布
２２    不燃性繊維片
３      熱硬化性樹脂
３１    耐候性・耐熱性顔料
３２    難燃性材料
【図１】
2006207305.tif 000003